(57)【要約】【課題】常温でアルコール、香料オイル類、有機溶媒を加熱することなく十分な強度でゲル化することができるゲル化剤を提供する。【解決手段】本発明のゲル化剤は（成分Ａ）液状のゲル化剤溶液と（成分Ｂ）多価アルコール、あるいは多価アルコールそれに溶解されているヒドロキシ酸を含む液状の助剤とから成り、（成分Ａ）と（成分Ｂ）との配合比（成分Ａ）／（成分Ｂ）が１〜１．５／１倍量であることを特徴とするものである。【選択図】なし【特許請求の範囲】
【請求項１】
（成分Ａ）ゲル化剤溶液と、（成分Ｂ）助剤とを含み、前記（成分Ａ）と前記（成分Ｂ）との配合比（成分Ａ）／（成分Ｂ）が１〜１．５／１倍量である、ゲル化剤。
【請求項２】
前記（成分Ａ）ゲル化剤溶液がジベンジリデンソルビトールをＮ−メチルピロリドンで溶解させた溶液である、請求項１に記載のゲル化剤。
【請求項３】
前記（成分Ｂ）助剤が多価アルコール、あるいは化合物中に２個以上の水酸基を有するヒドロキシ酸を多価アルコールで溶解させた溶液である、請求項１に記載の助剤。
【発明の詳細な説明】
【技術分野】
【０００１】本発明は、常温で液状のアルコール、香料オイル類、有機溶媒をゲル化するために用いられるゲル化剤に関するものである。
【背景技術】
【０００２】有機基材のゲル化剤として用いる技術としては、１２−ヒドロキシステアリン酸を、極性溶剤に溶解して使用する方法などが知られている。【０００３】また、有機基材を、加熱することなく十分な強度を有するゲル化物或いは固化物にすることができ、廃食用油や廃潤滑油などの廃油の固形化処理剤の技術としては、１２−ヒドロキシステアリン酸を、水酸基を有するテルペン系溶媒に加熱溶解する方法などが開示されている。
【先行技術文献】
【特許文献】
【０００４】
【特許文献１】特開平６−８０９８６号公報
【特許文献２】特開２０１２−７７１１３号公報
【０００５】
【発明の概要】
【発明が解決しようとする課題】
【０００６】しかしながら、（特開２０１２−７７１１３号公報）の方法は、ゲル化対象物を加熱することなく容易にゲル化することができる点では優れているが、テルペン系溶剤を使用しているため、そのニオイが香りを重視する芳香剤、フレグランスの商品では本来の香りに不要なニオイの影響を及ぼす問題がある。【０００７】また上記の油性ゲル化剤はその性能等の点において自然蒸散能に優れたアルコール等、有機基材をゲル化する未だ十分なものとは言えなかった。【０００８】上記事情から、香りや蒸散性を重視する商品において液状のアルコール、有機基材を加熱することなくゲル化することができるゲル化剤が望まれている【０００９】本発明は室温で添加し、混合することにより十分な強度でアルコール、香料オイル類、有機溶媒をゲル化または固化し得るアルコールゲル化剤を提供しようとするものである。またゲル化剤はゲル化の対象物である香料の香りに与える影響を軽減することを目的とする。
【課題を解決するための手段】
【００１０】本発明者は、上記課題を解決するために研究を重ねた結果、ゲル化剤溶液と、多価アルコールまたは、化合物中２個以上の水酸基を有するヒドロキシ酸を多価アルコールによって溶解した助剤を特定の割合で配合することで、常温で液体のアルコール、香料オイル類、有機溶媒等を加熱することなく十分な強度でゲル化できることを見出し、本発明を完成するに至った。【００１１】本発明は、以下の〔１〕〜〔３〕に関する。
〔１〕（Ａ）Ｎ−メチルピロリドンなる極性溶剤にジベンジリデンソルビトールを溶解させて得られる（好ましくは、１５〜２０重量％）ゲル化剤溶液。
〔２〕（Ｂ）多価アルコール単独、あるいは多価アルコールと、それに溶解されている（好ましくは、２〜２０重量％）ヒドロキシ酸を含む液状の助剤。
〔３〕（Ａ）成分と（Ｂ）成分との配合比が（Ａ）／（Ｂ）が１〜１．５／１倍量である、ゲル化剤。
【発明の効果】
【００１２】本発明によれば、常温で液状のアルコール、香料オイル類、有機溶媒を加熱することなく  十
分な強度でゲル化できるゲル化剤を提供することができる。
【産業上の利用可能性】
【００１３】本発明は、常温で液状のアルコール、香料オイル類、有機溶媒をゲル化するために用いられるゲル化剤を提供するものである。更に詳しく述べるならば、アルコールに溶解させることのできる香料、忌避剤、消臭剤や植物エキス類のアルコール溶液を加熱することなく充分な強度でゲル化することができる。また本発明のゲル化剤は燃料用の固形アルコールの固形化剤として有用である。
【発明を実施するための形態】
【００１４】本実施形態のゲル化剤は、（Ａ）ゲル化剤溶液（以下、成分Ａと略称することがある。）と（Ｂ）多価アルコール単独、あるいは多価アルコールと、それに溶解されているヒドロキシ酸を含む液状の助剤（以下、成分Ｂと略称することがある。）とから成り、成分（Ａ）と成分（Ｂ）との配合比が（Ａ）／（Ｂ）が１〜１．５／１倍量である、ゲル化剤である。
【００１５】本実施形態の成分Ａと成分Ｂは、常温環境下にて液状であり、本実施形態のゲル化剤は、ゲル化対象物に混合することで、加熱や機械的な処理による分散、長時間の攪拌など煩雑な操作を伴わずにゲル化対象物を十分な強度でゲル化することができる。
【００１６】本実施形態のゲル化剤において、成分Ａ中の油性ゲル化剤や成分Ｂ中の多価アルコールあるいはヒドロキシ酸がゲル化の対象物であるアルコールや有機基材中に分子レベルで均一に分散し、水素結合などの分子間相互作用により架橋構造を形成するが、本発明の助剤を構成している多価アルコールやヒドロキシ酸は、２個から数個の水酸基をその化合物中に有しており、助剤を添加することにより、水素結合などの分子間結合作用部位箇所が増し架橋構造をより密に形成して強度のあるゲルを生成することができる。
【００１７】成分Ａの油性ゲル化剤としては、例えば、ジベンジリデンソルビトール及びその誘導体などが挙げられる。これらの中でも、ジベンジリデンソルビトールは安全性が高く、特定の溶剤に過熱することなしに溶解させることができることから、好ましく用いることができる。
【００１８】成分Ａの溶媒としてアルキルピロリドン化合物、例えばＮ−メチルピロリドン、およびジメチルスルホキシド、Ｎ，Ｎ−ジメチルアセトアミド、シクロヘキサノン、Ｎ，Ｎ−ジメチルホルムアミド、ヘキサメチルホスホトリアミド、が用いられる。これらの中でも、Ｎ−メチルピロリドンは溶解性が高く、かつ新鮮な品質のものはニオイもうすいことから、好ましく用いることができる。
【００１９】これらの溶媒化合物は単独で用いられてもよく、或は、その２種以上を適宜の割合で混合して使用してもよい。
【００２０】本発明のゲル化剤溶液中のジベンジリデンソルビトールの濃度は、用いられる溶剤の溶解力により左右されるが、通常は、溶剤重量に対して約１５〜２０重量％である。
【００２１】助剤のヒドロキシ酸としてクエン酸，コハク酸、フマル酸、マレイン酸  マロン酸、アスコルビン酸などが挙げられる。
【００２２】助剤の溶剤として多価アルコール、例えばエチレングリコール、プロピレングリコール、グリセリン、ジエチレングリコール、ジプロピレングリコール、ヘキシレングリコールが挙げられる。
【００２３】助剤化合物はヒドロキシ酸を用いず多価アルコールを、１種を単独で用いてもよく、或は、その２種以上を適宜の割合で混合して使用してもよい。
【００２４】本発明の助剤溶液中のヒドロキシ酸の濃度は、用いられる溶剤の溶解力により左右されるが、通常は、溶剤重量に対して約２〜２０重量％である。
【００２５】次に本発明に関わるゲル化剤の製造方法の実施形態について説明する。
【００２６】本実施形態の方法では、成分ＡはジベンジリデンソルビトールとＮ−メチルピロリドンとを上記の重量比で混合し、この混合物を室温で攪拌して得られる。また、成分Ｂのうちヒドロキシ酸と多価アルコールとを混合する助剤では、クエン酸と多価アルコール１〜２種類とを上記の重量比で混合し、この混合物を室温で攪拌して得られる。
【００２７】次に本発明に関わるゲル化剤の使用方法について説明する。
【００２８】本実施形態の方法では、常温のゲル化対象物７５〜８０重量％に対して本発明のゲル化剤溶液１０〜１５重量％、助剤１０重量％を混合することが好ましい。混合は、ゲル化剤が均一に分散するように攪拌することが好ましい。攪拌方法としては、ガラス棒、スパチュラ等による人為的な攪拌方法が挙げられる。混合後は、常温にて２０分程度静置することで流動性のないゲル化物が得られる。
【００２９】ゲル化対象物としては、アルコール、有機基材などが挙げられ、具体的には、アルコール、アルコールに溶解させることのできる香料、忌避剤、消臭剤や植物エキス類のアルコール溶液、香料オイル類、有機溶媒などの揮発性化合物などが挙げられる。また、ゲル化対象物は、上記の油性成分を１種又は２種以上含有するものであってもよい。
【００３０】本発明のゲル化剤はゲル化に加熱作業を必要としないため、アルコール溶解性の揮散性機能成分を含有したゲル化物を製造する場合、アルコールの事前蒸散あるいは揮散性機能成分の変質、変色を防ぐことができる。本発明のゲル化剤は、アルコールに溶解させることのできる揮散性機能成分を含有する芳香剤、消臭剤、昆虫・動物忌避剤などの製造に有用である。
【実施例】
【００３１】以下、実施例によって本発明を更に詳細に説明するが、本発明はこれらの実施例に限定されるものではない。
【実施例１】
【００３２】ゲル化剤としてジベンジリデンソルビトールを１５重量％、および溶媒としてＮ−メチルピロリドン８５重量％を混合し、室温にて攪拌した。ジベンジリデンソルビトールが完全に溶融したことを目視にて確認後、室温の環境下にて１日静置した溶液をゲル化剤溶液（成分Ａ）として得た。ゲル化剤溶液の状態は液体であった。【００３３】［アルコールのゲル化及びその評価］
上記で得られたゲル化剤溶液（成分Ａ）１０重量％とエチレングリコール１０重量％を、イソプロピルアルコール変性アルコール（以下、ＩＰＡ変性アルコールと略称することがある。）８０重量％に室温で添加・混合し放置して２０分後の状態を観察した結果、アルコールは流動性のないゲルが形成された。結果を表１に示す。
【実施例２】
【００３４】実施例１と同様にして、ゲル化剤溶液（成分Ａ）を得た。ゲル化剤溶液の状態は液体であった。【００３５】上記で得られたゲル化剤溶液（成分Ａ）１５重量％とエチレングリコール１０重量％を、ＩＰＡ変性アルコール７５重量％に室温で添加・混合し放置して２０分後の状態を観察した結果、アルコールは流動性のないゲルが形成された。結果を表１に示す。
【実施例３】
【００３６】ゲル化剤としてジベンジリデンソルビトールを２０重量％、および溶媒としてＮ−メチルピロリドン８０重量％を混合し、室温にて攪拌した。ジベンジリデンソルビトールが完全に溶融したことを目視にて確認後、室温の環境下にて１日静置した溶液をゲル化剤溶液（成分Ａ）として得た。ゲル化剤溶液の状態は液体であった。【００３７】上記で得られたゲル化剤溶液（成分Ａ）１０重量％とエチレングリコール１０重量％を、ＩＰＡ変性アルコール８０重量％に室温で添加・混合し放置して２０分後の状態を観察した結果、アルコールは流動性のないゲルが形成された。結果を表１に示す。
【実施例４】
【００３８】実施例３と同様にして、ゲル化剤溶液（成分Ａ）を得た。ゲル化剤溶液の状態は液体であった。【００３９】上記で得られたゲル化剤溶液（成分Ａ）１５重量％とエチレングリコール１０重量％を、ＩＰＡ変性アルコール７５重量％に室温で添加・混合し放置して２０分後の状態を観察した結果、アルコールは流動性のないゲルが形成された。結果を表１に示す。
【実施例５】
【００４０】ゲル化剤としてジベンジリデンソルビトールを１５重量％、および溶媒としてＮ−メチルピロリドン８５重量％を混合し、室温にて攪拌した。ジベンジリデンソルビトールが完全に溶融したことを目視にて確認後、室温の環境下にて１日静置した溶液をゲル化剤溶液（成分Ａ）として得た。ゲル化剤溶液の状態は液体であった。【００４１】上記で得られたゲル化剤溶液（成分Ａ）１０重量％とプロピレングリコール１０重量％を、ＩＰＡ変性アルコール８０重量％に室温で添加・混合し放置して２０分後の状態を観察した結果、アルコールは流動性のないゲルが形成された。結果を表１に示す。
【実施例６】
【００４２】実施例５と同様にして、ゲル化剤溶液（成分Ａ）を得た。ゲル化剤溶液の状態は液体であった。【００４３】上記で得られたゲル化剤溶液（成分Ａ）１５重量％とプロピレングリコール１０重量％を、ＩＰＡ変性アルコール７５重量％に室温で添加・混合し放置して２０分後の状態を観察した結果、アルコールは流動性のないゲルが形成された。結果を表１に示す。
【実施例７】
【００４４】ゲル化剤としてジベンジリデンソルビトールを２０重量％、および溶媒としてＮ−メチルピロリドン８０重量％を混合し、室温にて攪拌した。ジベンジリデンソルビトールが完全に溶融したことを目視にて確認後、室温の環境下にて１日静置した溶液をゲル化剤溶液（成分Ａ）として得た。ゲル化剤溶液の状態は液体であった。【００４５】上記で得られたゲル化剤溶液（成分Ａ）１０重量％とプロピレングリコール１０重量％を、ＩＰＡ変性アルコール８０重量％に室温で添加・混合し放置して２０分後の状態を観察した結果、アルコールは流動性のないゲルが形成された。結果を表１に示す。
【実施例８】
【００４６】実施例７と同様にして、ゲル化剤溶液（成分Ａ）を得た。ゲル化剤溶液の状態は液体であった。【００４７】上記で得られたゲル化剤溶液（成分Ａ）１５重量％とプロピレングリコール１０重量％を、ＩＰＡ変性アルコール７５重量％に室温で添加・混合し放置して２０分後の状態を観察した結果、アルコールは流動性のないゲルが形成された。結果を表１に示す。
【実施例９】
【００４８】ゲル化剤としてジベンジリデンソルビトールを１５重量％、および溶媒としてＮ−メチルピロリドン８５重量％を混合し、室温にて攪拌した。ジベンジリデンソルビトールが完全に溶融したことを目視にて確認後、室温の環境下にて１日静置した溶液をゲル化剤溶液（成分Ａ）として得た。ゲル化剤溶液の状態は液体であった。【００４９】上記で得られたゲル化剤溶液（成分Ａ）１０重量％とグリセリン１０重量％を、ＩＰＡ変性アルコール８０重量％に室温で添加・混合し放置して２０分後の状態を観察した結果、アルコールは流動性のないゲルが形成された。結果を表１に示す。
【実施例１０】
【００５０】実施例９と同様にして、ゲル化剤溶液（成分Ａ）を得た。ゲル化剤溶液の状態は液体であった。【００５１】上記で得られたゲル化剤溶液（成分Ａ）１５重量％とグリセリン１０重量％を、ＩＰＡ変性アルコール７５重量％に室温で添加・混合し放置して２０分後の状態を観察した結果、アルコールは流動性のないゲルが形成された。結果を表１に示す。
【実施例１１】
【００５２】ゲル化剤としてジベンジリデンソルビトールを２０重量％、および溶媒としてＮ−メチルピロリドン８０重量％を混合し、室温にて攪拌した。ジベンジリデンソルビトールが完全に溶融したことを目視にて確認後、室温の環境下にて１日静置した溶液をゲル化剤溶液（成分Ａ）として得た。ゲル化剤溶液の状態は液体であった。【００５３】上記で得られたゲル化剤溶液（成分Ａ）１０重量％とグリセリン１０重量％を、ＩＰＡ変性アルコール８０重量％に室温で添加・混合し放置して２０分後の状態を観察した結果、アルコールは流動性のないゲルが形成された。結果を表１に示す。
【実施例１２】
【００５４】実施例１１と同様にして、ゲル化剤溶液（成分Ａ）を得た。ゲル化剤溶液の状態は液体であった。【００５５】上記で得られたゲル化剤溶液（成分Ａ）１５重量％とグリセリン１０重量％を、ＩＰＡ変性アルコール７５重量％に室温で添加・混合し放置して２０分後の状態を観察した結果、アルコールは流動性のないゲルが形成された。結果を表１に示す。
【実施例１３】
【００５６】ゲル化剤としてジベンジリデンソルビトールを１５重量％、および溶媒としてＮ−メチルピロリドン８５重量％を混合し、室温にて攪拌した。ジベンジリデンソルビトールが完全に溶融したことを目視にて確認後、室温の環境下にて１日静置した溶液をゲル化剤溶液（成分Ａ）として得た。ゲル化剤溶液の状態は液体であった。【００５７】上記で得られたゲル化剤溶液（成分Ａ）１５重量％とプロピレングリコール、グリセリンの混合液（５：１重量比）にクエン酸１６重量％を溶解させた溶液１０重量％を、ＩＰＡ変性アルコール７５重量％に室温で添加・混合し放置して２０分後の状態を観察した結果、アルコールは流動性のないゲルが形成された。結果を表１に示す。【００５８】（比較例１）
ゲル化剤としてジベンジリデンソルビトールを１０重量％、および溶媒としてＮ−メチルピロリドン９０重量％を混合し、室温にて攪拌した。ジベンジリデンソルビトールが完全に溶融したことを目視にて確認後、室温の環境下にて１日静置した溶液をゲル化剤溶液（成分Ａ）として得た。ゲル化剤溶液の状態は液体であった。【００５９】上記で得られたゲル化剤溶液（成分Ａ）１５重量％とエチレングリコール１０重量％を、ＩＰＡ変性アルコール７５重量％に室温で添加・混合し放置して２０分後の状態を観察した結果、アルコールは液体のままでゲル化しなかった１昼夜後の状態を観察した結果、アルコールは一部ゲル化するがオイルアウトの状態であった。結果を表１に示す。【００６０】（比較例２）
比較例１と同様にして、ゲル化剤溶液（成分Ａ）を得た。ゲル化剤溶液の状態は液体であった。【００６１】上記で得られたゲル化剤溶液（成分Ａ）１５重量％とプロピレングリコール１０重量％を、ＩＰＡ変性アルコール７５重量％に室温で添加・混合し放置して２０分後の状態を観察した結果、アルコールは液体のままでゲル化しなかった１昼夜後の状態を観察した結果、アルコールは一部ゲル化するがオイルアウトの状態であった。結果を表１に示す。【００６２】（比較例３）
比較例１と同様にして、ゲル化剤溶液（成分Ａ）を得た。ゲル化剤溶液の状態は液体であった。【００６３】上記で得られたゲル化剤溶液（成分Ａ）１５重量％とグリセリン１０重量％を、ＩＰＡ変性アルコール７５重量％に室温で添加・混合し放置して２０分後の状態を観察した結果、アルコールは液体のままでゲル化しなかった１昼夜後の状態を観察した結果、アルコールは一部ゲル化するがオイルアウトの状態であった。結果を表１に示す。【００６４】（比較例４）
比較例１と同様にして、ゲル化剤溶液（成分Ａ）を得た。ゲル化剤溶液の状態は液体であった。【００６５】上記で得られたゲル化剤溶液（成分Ａ）１５重量％とプロピレングリコール、グリセリンの混合液（５：１重量比）にクエン酸１６重量％を溶解させた溶液１０重量％を、ＩＰＡ変性アルコール７５重量％に室温で添加・混合し放置して２０分後の状態を観察した結果、アルコールは液体のままでゲル化しなかった１昼夜後の状態を観察した結果、アルコールは一部ゲル化するがオイルアウトの状態であった。結果を表１に示す。【００６６】
【表１】
2014214305.tif 000002